(57)【要約】【課題】外壁パネルの設置を妨げず、かつ、屋根部の施工品質を確保することが可能な屋根パネルを提供する。【解決手段】住宅の屋根部を構築するために用いられる屋根パネル８が、軒先側に位置するパネル先端部９と、パネル先端部９以外の部分を成すパネル本体１０と、パネル先端部９の下部に取り付けられた角筒体１１とを有し、角筒体１１は、屋根パネル８を支持する垂木５のうち、軒先側に位置する垂木先端部６に嵌合する。そして、パネル先端部９は、パネル本体１０とは別体を成し、角筒体１１と垂木先端部６との嵌合状態を解除することでパネル本体１０から取り外される。【選択図】図２
2015168999.tif 000002
【特許請求の範囲】
【請求項１】
建物の屋根部を構築するために用いられ、前記建物の躯体中、前記屋根部において軒先に向かって延出している支持材の上に載置される屋根パネルであって、
前記屋根パネルにおいて前記軒先側に位置するパネル先端部と、
前記屋根パネルにおいて前記パネル先端部以外の部分を成すパネル本体と、
前記パネル先端部の下部に取り付けられ、前記支持材において前記軒先側に位置する支持材先端部に嵌合する嵌合部と、を有し、
前記パネル先端部は、前記パネル本体とは別体を成し、前記嵌合部と前記支持材先端部との嵌合状態を解除することで前記パネル本体から取り外されることを特徴とする屋根パネル。
【請求項２】
前記嵌合部は、前記支持材としての垂木のうち、最も前記軒先側に位置する前記支持材先端部としての垂木先端部に嵌合する角筒体であり、
該角筒体は、前記垂木の延出方向と直交する前記垂木先端部の断面の形状に対応した貫通穴を備えていることを特徴とする請求項１に記載の屋根パネル。
【請求項３】
屋根パネルを用いて建物の屋根部を構築する工程と、外壁パネルを用いて外壁部を構築する工程と、を備える建物の建築方法であって、
前記屋根部を構築する工程では、前記建物の躯体中、前記屋根部において軒先に向かって延出している支持材の上に、
前記屋根パネルにおいて前記軒先側に位置するパネル先端部と、
前記屋根パネルにおいて前記パネル先端部以外の部分を成すパネル本体と、
前記パネル先端部の下部に取り付けられ、前記支持材において前記軒先側に位置する支持材先端部に嵌合する嵌合部と、を有する前記屋根パネルを載置し、
前記外壁部を構築する工程では、前記パネル本体とは別体を成す前記パネル先端部が、前記嵌合部と前記支持材先端部との嵌合状態を解除することで前記パネル本体から取り外されて、前記パネル本体及び前記パネル先端部のうち、前記パネル本体のみが前記支持材の上に載置されている間に、前記支持材先端部の下方位置に向かって前記外壁パネルを吊り込むことを特徴とする建物の建築方法。
【請求項４】
前記屋根部を構築する工程は、
前記外壁部を構築する工程を行う前に、前記嵌合部が前記支持材先端部に嵌合していることで前記パネル先端部が前記パネル本体に組み付けられている状態の前記屋根パネルを前記支持材の上に載置する第１工程と、
前記外壁部を構築する工程を行った後に、前記嵌合部を前記支持材先端部に嵌合することで、前記パネル本体から取り外された前記パネル先端部を前記パネル本体に再び組み付ける第２工程と、を有することを特徴とする請求項３に記載の建物の建築方法。
【請求項５】
前記第１工程は、前記建物の建築現場とは異なる作業場にて行われ、
前記パネル先端部が前記パネル本体に組み付けられている状態の前記屋根パネルが載置されている前記支持材を、前記作業場から前記建築現場へ搬送する工程と、
前記建築現場において、搬送された前記支持材を前記躯体中に組み込む工程と、を更に有することを特徴とする請求項４に記載の建物の建築方法。
【請求項６】
前記外壁部を構築する工程は、
前記支持材を前記躯体中に組み込む工程を行った後に、前記嵌合部と前記支持材先端部との嵌合状態を解除することで前記パネル本体から前記パネル先端部を取り外す第３工程と、
前記パネル本体及び前記パネル先端部のうち、前記パネル本体のみが前記支持材の上に載置されている間に、前記下方位置に向かって前記外壁パネルを吊り込む第４工程と、を有し、
該第４工程では、前記支持材を前記躯体中に組み込む工程が完了した時点で前記パネル先端部が位置しているスペース内に、前記外壁パネルと吊り具との間に張架された張架部材を入り込ませて、前記外壁パネルを前記下方位置に向かって吊り込むことを特徴とする請求項５に記載の建物の建築方法。
【請求項７】
前記屋根部を構築する工程は、
前記第２工程を行った後に、前記パネル先端部に取り付けられた締結具の自由端部を前記パネル本体に留めて前記パネル先端部と前記パネル本体とを締結するとともに、前記嵌合部に取り付けられた他の締結具の自由端部を前記支持材先端部に留めて前記嵌合部と前記支持材先端部とを締結する工程を更に有することを特徴とする請求項４乃至６のいずれか一項に記載の建物の建築方法。
【発明の詳細な説明】
【技術分野】
【０００１】
本発明は、屋根パネル及び建物の建築方法に係り、特に、建物の建築工事において外壁パネルの設置に先んじて取り付けられる屋根パネル、及び、当該屋根パネルの設置後に外壁パネルを設置する建物の建築方法に関する。
【背景技術】
【０００２】
建物の建築工事における作業効率を向上させるために、建物の躯体を構築した後、外壁パネルの設置に先んじて屋根工事、すなわち、屋根パネルの設置を行うことがある。このように屋根工事を先行することにより、以降は雨天時でも屋根下での作業が可能となる。
【０００３】
一方、通常の屋根は、軒先側の部分が外側に張り出ている。このため、屋根工事を先行すると、その後の外壁パネルの設置作業において当該外壁パネルを屋根の軒先部分の下方位置に吊り込む際に、屋根パネルと干渉してしまう虞がある。このような問題を解決する手段としては、例えば、特許文献１や特許文献２の方法が挙げられる。
【０００４】
特許文献１に記載の屋根ユニットは、着脱可能な軒部と、屋根板と、屋根板を支持する支持枠とを有するものである。このように軒部が着脱可能となっていれば、外壁パネルを吊り込む際に当該軒部を外しておくことで、外壁パネル（厳密には、外壁パネルに掛けられた吊りベルトや吊りワイヤ等）が屋根パネルと干渉するのを抑えることが可能となる。
【０００５】
特許文献２に記載の屋根ユニットは、屋根ユニットの本体部と分離した軒先ユニットが、蝶番によって本体部に対して回動可能に連結することで構成されたものである。この軒先ユニットは、上方に跳ね上がるように回動して、本体部に載置されるようになっている。このような構成により、外壁パネルを吊り込むにあたって軒先ユニットを回動させて本体部に載置しておけば、外壁パネルと屋根パネルとの干渉を抑制することが可能となる。
【先行技術文献】
【特許文献】
【０００６】
【特許文献１】特開平５−３０２３９２号公報
【特許文献２】特開平１１−２８０１９１号公報
【発明の概要】
【発明が解決しようとする課題】
【０００７】
ところで、建物の屋根部では、風の吹き上げや降雪による荷重が掛かり、特に軒先部分に掛かり易くなるので、軒先部分における強度を確保する必要がある。一方、特許文献１に記載の屋根ユニットでは、軒先部を着脱可能とするために、屋根パネルを支持する垂木が軒先部分と、それ以外の部分（垂木本体）とに分断されている。このため、特許文献１に記載の屋根ユニットでは、軒先部分を取り付けるにあたり、垂木本体と軒先部分とをボルト等の締結手段によって締結する必要がある。このように垂木が分断されている構成では、軒先部分の強度を確保するのが困難となる。また、垂木本体と軒先部分とを強固に締結する上では、比較的大型の締結材を用いることになるため、これを起因として作業性の低下やコストの増加等を招いてしまう虞がある。
【０００８】
また、建物の屋根部については、その美観を確保する必要がある。一方、特許文献２に記載の屋根ユニットでは、軒先ユニットと本体部との連結手段として蝶番が用いられているため、当該蝶番が屋根ユニットの外観に影響を及ぼしてしまう虞がある。
【０００９】
そこで、本発明は、上記の課題に鑑みてなされたものであり、その目的とするところは、外壁パネルの設置を妨げず、かつ、屋根部の施工品質を確保することが可能な屋根パネルを提供することである。
また、本発明の他の目的は、建物の建築方法として、屋根パネルの設置を外壁パネルの設置に先んじて行う際に、屋根部の施工品質を確保しつつ、外壁パネルをスムーズに設置することが可能な建築方法を提供することである。
【課題を解決するための手段】
【００１０】
前記課題は、本発明の屋根パネルによれば、建物の屋根部を構築するために用いられ、前記建物の躯体中、前記屋根部において軒先に向かって延出している支持材の上に載置される屋根パネルであって、前記屋根パネルにおいて前記軒先側に位置するパネル先端部と、前記屋根パネルにおいて前記パネル先端部以外の部分を成すパネル本体と、前記パネル先端部の下部に取り付けられ、前記支持材において前記軒先側に位置する支持材先端部に嵌合する嵌合部と、を有し、前記パネル先端部は、前記パネル本体とは別体を成し、前記嵌合部と前記支持材先端部との嵌合状態を解除することで前記パネル本体から取り外されることにより解決される。
【００１１】
上記の屋根パネルでは、軒先側に位置するパネル先端部がパネル本体とは別体を成し、パネル先端部とパネル本体とが屋根パネルを構成している。そして、パネル先端部の下部に取り付けられた嵌合部が、屋根を支持する支持材中、軒先側に位置する支持材先端部に嵌合した状態を解除することで、パネル先端部がパネル本体から外れるようになっている。このような構成であれば、外壁パネルを吊り込む際に上記パネル先端部を外しておくことで、外壁パネル（厳密には、外壁パネルに掛けられた吊りベルトや吊りワイヤ等）が屋根パネルと干渉するのを抑えることが可能となる。一方、上記の構成では、屋根パネルのみが分断しており、当該屋根パネルを支持する支持材は、分断されていない。このため、上記の屋根パネルを用いて構築された屋根部では、その軒先部分における強度を確保することが可能となる。さらに、パネル先端部とパネル本体との連結は、パネル先端部の下部に取り付けられた嵌合部が支持材先端部に嵌合することで実現されるため、連結手段として蝶番等を用いる場合と比較して、当該連結手段が屋根パネルの美観に対して及ぼす影響を抑えることが可能となる。
【００１２】
また、上記の屋根パネルにおいて、前記嵌合部は、前記支持材としての垂木のうち、最も前記軒先側に位置する前記支持材先端部としての垂木先端部に嵌合する角筒体であり、該角筒体は、前記垂木の延出方向と直交する前記垂木先端部の断面の形状に対応した貫通穴を備えていてもよい。
かかる構成であれば、垂木先端部に対して嵌合部としての角筒体を挿抜することで、パネル本体に対するパネル先端部の着脱を容易に行うことが可能となる。
【００１３】
また、前述の課題は、本発明の建物の建築方法によれば、屋根パネルを用いて建物の屋根部を構築する工程と、外壁パネルを用いて外壁部を構築する工程と、を備える建物の建築方法であって、前記屋根部を構築する工程では、（Ａ）前記建物の躯体中、前記屋根部において軒先に向かって延出している支持材の上に、（ａ１）前記屋根パネルにおいて前記軒先側に位置するパネル先端部と、（ａ２）前記屋根パネルにおいて前記パネル先端部以外の部分を成すパネル本体と、（ａ３）前記パネル先端部の下部に取り付けられ、前記支持材において前記軒先側に位置する支持材先端部に嵌合する嵌合部と、を有する前記屋根パネルを載置し、（Ｂ）前記外壁部を構築する工程では、前記パネル本体とは別体を成す前記パネル先端部が、前記嵌合部と前記支持材先端部との嵌合状態を解除することで前記パネル本体から取り外されて、前記パネル本体及び前記パネル先端部のうち、前記パネル本体のみが前記支持材の上に載置されている間に、前記支持材先端部の下方位置に向かって前記外壁パネルを吊り込むことにより解決される。
【００１４】
上記の建物の建築方法では、屋根パネルのうち、軒先側に位置するパネル先端部がパネル本体から取り外し、パネル本体及びパネル先端部のうち、パネル本体のみが支持材の上に載置されている間に、支持材先端部の下方位置に向かって外壁パネルを吊り込む。これにより、外壁パネルの吊り込み時に、外壁パネルに掛けられた吊りベルトや吊りワイヤ等が屋根パネルと干渉するのを抑えることが可能となり、結果として、外壁パネルの設置がスムーズに行われるようになる。また、パネル先端部をパネル本体から取り外すにあたっては、嵌合部と支持材先端部との嵌合状態を解除すればよく、支持材を分断する必要がない。このため、支持材の分断によって屋根部のうち、軒先部分における強度が低下してしまうのを抑えることが可能となる。換言すると、上記の建物の建築方法であれば、当該軒先部分における強度を確保することが可能となる。さらに、パネル先端部とパネル本体との連結は、パネル先端部の下部に取り付けられた嵌合部が支持材先端部に嵌合することで実現されるため、連結手段として蝶番等を用いる場合と比較して、当該連結手段が屋根パネルの美観に対して及ぼす影響を抑えることが可能となる。
【００１５】
また、上記の建物の建築方法において、前記屋根部を構築する工程は、前記外壁部を構築する工程を行う前に、前記嵌合部が前記支持材先端部に嵌合していることで前記パネル先端部が前記パネル本体に組み付けられている状態の前記屋根パネルを前記支持材の上に載置する第１工程と、前記外壁部を構築する工程を行った後に、前記嵌合部を前記支持材先端部に嵌合することで、前記パネル本体から取り外された前記パネル先端部を前記パネル本体に再び組み付ける第２工程と、を有するとしてもよい。
上記の方法によれば、外壁部を構築する前に屋根部を構築し、外壁部を構築する期間中には、屋根パネルのパネル先端部をパネル本体から取り外しておき、外壁部を構築した後に再びパネル先端部をパネル本体に組み付ける。すなわち、外壁部を構築する工程の開始／終了に応じて、パネル本体に対するパネル先端部の着脱状態を適切に切り替えることが可能となる。これにより、屋根パネルの設置を外壁パネルの設置に先んじて行う建物の建築工事がより円滑に進行するようになる。
【００１６】
また、上記の建物の建築方法において、前記第１工程は、前記建物の建築現場とは異なる作業場にて行われ、前記パネル先端部が前記パネル本体に組み付けられている状態の前記屋根パネルが載置されている前記支持材を、前記作業場から前記建築現場へ搬送する工程と、前記建築現場において、搬送された前記支持材を前記躯体中に組み込む工程と、を更に有することとしてもよい。
上記の方法によれば、屋根パネルを支持材に載置する作業が建築現場以外の場所で行われ、分かり易くは、建物の屋根部は建築現場から離れた作業場で内作され、建築現場には組み立て済みの屋根部が搬送されてくることになる。この結果、建築現場での作業量が少なくなり、その分、工期の短縮を図ることが可能となる。
【００１７】
また、上記の建物の建築方法において、前記外壁部を構築する工程は、前記支持材を前記躯体中に組み込む工程を行った後に、前記嵌合部と前記支持材先端部との嵌合状態を解除することで前記パネル本体から前記パネル先端部を取り外す第３工程と、前記パネル本体及び前記パネル先端部のうち、前記パネル本体のみが前記支持材の上に載置されている間に、前記下方位置に向かって前記外壁パネルを吊り込む第４工程と、を有し、該第４工程では、前記支持材を前記躯体中に組み込む工程が完了した時点で前記パネル先端部が位置しているスペース内に、前記外壁パネルと吊り具との間に張架された張架部材を入り込ませて、前記外壁パネルを前記下方位置に向かって吊り込むこととしてもよい。
上記の方法によれば、外壁パネルを吊り込む際、パネル本体から取り外される直前にパネル先端部が位置していたスペース内に、外壁パネルに掛けられた張架部材を入り込ませる。これにより、外壁パネルが支持材先端部の下方位置に向かって適切に吊り込まれるようになる。
【００１８】
また、上記の建物の建築方法において、前記屋根部を構築する工程は、前記第２工程を行った後に、前記パネル先端部に取り付けられた締結具の自由端部を前記パネル本体に留めて前記パネル先端部と前記パネル本体とを締結するとともに、前記嵌合部に取り付けられた他の締結具の自由端部を前記支持材先端部に留めて前記嵌合部と前記支持材先端部とを締結する工程を更に有することとしてもよい。
上記の方法によれば、外壁パネルを設置した後にパネル本体に再び組み付けられたパネル先端部と、パネル本体とを締結具によって締結する。これにより、建築工事の終了後にパネル本体がパネル本体から外れてしまうのを抑制し、以て、屋根パネルがその機能を良好に発揮するようになる。
【発明の効果】
【００１９】
本発明の屋根パネル、及び、本発明の建物の建築方法によれば、屋根パネルの設置を外壁パネルの設置に先んじて行う場合において、屋根部の施工品質を確保しつつ、外壁パネルをスムーズに設置することが可能となる。かかる効果により、建物の建築工事の工期をより短期化することが可能となり、当該建築工事における作業効率が向上することとなる。
【図面の簡単な説明】
【００２０】
【図１】建物とその躯体についての外観図である。
【図２】本発明の一実施形態に係る屋根パネルを示す図である。
【図３】外壁パネルを吊り込む様子を示す模式図である。
【図４】本発明の一実施形態に係る建物の建築工事中、屋根工事と外壁工事に関する手順を示す図である。
【図５】外壁パネルが支持材先端部の下方位置に吊り込まれているときの様子を示す図である。
【図６】屋根パネルのパネル先端部とパネル本体とを締結する締結具の説明図である。
【図７】嵌合部と支持材先端部とを締結する他の締結具の説明図である。
【発明を実施するための形態】
【００２１】
以下、本発明の一実施形態（以下、本実施形態）について図面を参照しながら説明する。なお、図面については、説明の都合上、幾分簡略化して記載しており実際の構造やサイズ等とは若干異なっている。
【００２２】
以下では、住宅（厳密には戸建住宅）を建物の一例として挙げて説明することとする。ただし、あくまでも住宅は建物の一例に過ぎず、本発明は、屋根の軒先が張り出している建物であれば特に制限なく適用可能であり、例えば工場内の建屋、施設、店舗等に対しても適用可能なものである。また、以下の説明中、軒先とは、屋根部のうち、建物の外壁部よりも外側に張り出した部分のことを意味する。
【００２３】
本実施形態に係る住宅１は、図１に示す外観を有し、傾斜屋根を有する一般的な戸建住宅と同様の構造となっている。また、住宅１の躯体４は、鉄骨構造を採用しており、躯体４のうち、住宅１の屋根部２に相当する部分には、屋根パネル８支持用の垂木５が配置されている。この垂木５は、支持材に相当し、住宅１の屋根部２において軒先に向かって延出しており、その上に屋根パネル８を載置させて支持している。なお、垂木５は、住宅１の桁方向、すなわち、棟木７Ａの延出方向に沿って一定間隔毎に複数配置されている。また、垂木５の断面形状（厳密には延出方向と直交する断面の形状）は、略矩形状となっている。
【００２４】
屋根パネル８は、野地板であり、屋根部２を構成するにあたって複数用いられる。各屋根パネル８は、桁方向において複数の垂木５の上に跨って配置される。そして、本実施形態に係る屋根パネル８の各々は、図２に示すように、互いに別体をなす２つのパネル片から構成されている。すなわち、本実施形態において、各屋根パネル８は、上記２つのパネル片が連結することで構成されるものである。
【００２５】
各屋根パネル８を構成する２つのパネル片について説明すると、そのうちの一方は、屋根パネル８において軒先側に位置するパネル先端部９であり、このパネル先端部９は、住宅１の建築が完了した時点で外壁部３よりも外側に張り出している。もう一方は、屋根パネル８のうち、パネル先端部９以外の部分を成すパネル本体１０であり、棟木７Ａと軒桁７Ｂとの間に配置されている。
【００２６】
また、図２に示すように、各屋根パネル８においてパネル先端部９の下部には、嵌合部としての角筒体１１が取り付けられている。この角筒体１１は、垂木５のうち、最も軒先側に位置する垂木先端部６（支持材先端部に相当）に嵌合するものである。より詳しく説明すると、角筒体１１は、貫通穴１２を備えており、この貫通穴１２の外縁は、垂木５の延出方向と直交する垂木先端部６の断面形状に対応して略矩形状となっており、そのサイズも垂木先端部６の断面形状と略一致する。このような構造により、角筒体１１は垂木先端部６に対して挿抜自在となっている。
【００２７】
そして、パネル先端部９は、角筒体１１が垂木先端部６に嵌合することによりパネル本体１０と連結して一枚の屋根パネル８を構築するようになる。換言すると、パネル先端部９は、角筒体１１と垂木先端部６との嵌合状態を解除することでパネル本体１０から取り外し可能となっている。
【００２８】
なお、図２に示すように、各屋根パネル８のパネル先端部９の下面には桁方向に沿って一定間隔毎に複数の角筒体１１が取り付けられており、各角筒体１１は、屋根パネル８が跨って載置される複数の垂木５のうち、対応する垂木５の垂木先端部６に嵌合することになっている。
【００２９】
以上に説明した屋根パネル８によって屋根部２が構築される本実施形態の住宅１は、上述した屋根パネル８の特徴を利用することで比較的短い工期にて建築することが可能である。以下、本実施形態に係る住宅１の建築方法について説明する。
【００３０】
本実施形態に係る住宅１の建築方法は、当該住宅１の建築工事において採用されるものである。かかる建築工事の流れを概説すると、基礎工事を含む躯体構築工事が完了した後、屋根パネル８の設置を外壁パネル１３の設置に先んじて行う。これは、躯体４の完成後に直ちに屋根パネル８を設置することで、それ以降に雨天になったとしても屋根下で作業を行えるという利点を活かすためである。また、外壁パネル１３を設置した後に屋根パネル８を設置する場合には、その間に雨が降ってしまうと、外壁パネル１３内に雨水が浸入してしまう虞があるが、屋根パネル８の設置を外壁パネル１３の設置よりも前に行えば上記の問題を回避することが可能である。
【００３１】
一方、屋根パネル８を設置した後には外壁パネル１３を所定位置に設置して外壁部３を構築する。ここで、外壁パネル１３を設置する位置は、軒下（厳密には、垂木先端部６の下方位置よりも幾分奥側にある位置）であるため、外壁部３を構築するにあたっては、図３に示すように外壁パネル１３を垂木先端部６の下方位置に向かって吊り込むことになる。この際、既に屋根パネル８が設置されていると、外壁パネル１３を吊るために外壁パネル１３と吊りフック１７（吊り具の一例）との間に張架された吊りベルト１６（張架部材）が屋根パネル８、特に軒先部分と干渉してしまう可能性がある。
【００３２】
外壁パネル１３の吊り込み時に屋根部２の軒先部分と干渉するのを回避する方法としては、例えば、屋根部２の軒先部分の下方位置に、当該軒先部分から外側に向かって突出したガイドや治具を設置し、これを用いて外壁パネル１３を上記軒先部分の下方に潜り込ませる工法が考えられる。しかし、上記のガイドや治具を設置するためにスペースを確保する必要があるため、隣接する住宅間の間隔が狭くなった狭小地では上記の工法を採用すること自体が困難である。
【００３３】
これに対して、本実施形態に係る住宅１では、上述した屋根パネル８の構造を利用して、外壁パネル１３の吊り込み中における屋根部２の軒先部分との干渉を容易に回避することが可能である。すなわち、本実施形態では、屋根パネル８のうちのパネル先端部９がパネル本体１０に対して取り外し可能に構成されているので、外壁パネル１３の吊り込み時に当該パネル先端部９を取り外しておくことで、外壁パネル１３に掛けられた吊りベルト１６と屋根パネル８との干渉を回避することが可能となる。
【００３４】
なお、本実施形態では、垂木先端部６に対して角筒体１１を挿抜することで、パネル本体１０に対するパネル先端部９の着脱を容易に行うことが可能である。また、本実施形態では、屋根部２の軒先部分（具体的には屋根パネル８のパネル先端部９）を取り外し可能とするために、屋根パネル８を２つのパネル片に分断する一方で、屋根パネル８を支持する垂木５については分断していない。このように垂木５を分断せずに屋根パネル８のみを分断するので、屋根部２の軒先部分における強度が適切に確保されることになる。
【００３５】
さらに、パネル先端部９とパネル本体１０とを連結するのに蝶番を用いる場合には、蝶番が屋根パネル８の表面に露出したり、あるいは、パネル先端部９とパネル本体１０との間に蝶番を配置するためにパネル先端部９とのパネル本体１０との間に隙間が形成されたりする。これに対して、垂木先端部６に対して角筒体１１を嵌合させることでパネル先端部９がパネル本体１０と連結し、当該角筒体１１は、パネル先端部９の下面に取り付けられている。つまり、本実施形態において、パネル先端部９とパネル本体１０との連結手段である角筒体１１は、より目立ち難い位置に設けられている。したがって、本実施形態は、連結手段として蝶番を用いる場合と比較すると、当該連結手段が屋根パネル８の美観に対して及ぼす影響をより抑えることが可能となる。
【００３６】
次に、本実施形態に係る住宅１の建築工事のうち、屋根パネル８を用いて屋根部２を構築する屋根工事と、及び、外壁パネル１３を用いて外壁部３を構築する外壁工事についてより詳しく説明する。屋根工事及び外壁工事は、図４に図示した手順に従って進行する。具体的に説明すると、屋根部２をユニットとして内作する工程から始まる（Ｓ００１）。かかる工程Ｓ００１は、第１工程に相当し、屋根工事の一環として外壁工事前に行われる。
【００３７】
また、本実施形態において、屋根部２の内作工事は、住宅１の建築現場とは異なる作業場、具体的には建材作成工場にて行われる。本内作工事では、躯体４中、屋根部２に相当する部分を組み立てるとともに、垂木５の上に屋根パネル８を載置する。すなわち、本実施形態に係る内作工事では、屋根部２の内作が、屋根パネル８を設置するところまで建材作成工場にて行われる。なお、このとき、角筒体１１が垂木先端部６に嵌合しておりパネル先端部９がパネル本体１０に組み付けられている状態にある。すなわち、内作工事の段階では、パネル先端部９とパネル本体１０とが連結した状態にある屋根パネル８が垂木５の上に載置されて支持されていることになる。
【００３８】
内作工事が完了すると、内作された屋根部２、すなわち、パネル先端部９がパネル本体１０に組み付けられた状態の屋根パネル８が載置された垂木５を含む屋根枠体を、建材作成工場から住宅１の建築現場へ搬送する（Ｓ００２）。この時点において、住宅１の建築現場では、住宅１の躯体４のうち、屋根部２に相当する部分を除いた部分が既に構築されている。
【００３９】
そして、建築現場に屋根部２が到着した後、当該建築現場において、搬送された屋根部２（すなわち、パネル先端部９がパネル本体１０に組み付けられた状態の屋根パネル８が載置された垂木５を含む屋根枠体）を躯体４中に組み込む（Ｓ００３）。このように本実施形態では、屋根パネル８を垂木５に載置する作業を建築現場以外の場所で行い、建築現場には組み立て済みの屋根部２が搬送されてくることになる。これにより、建築現場での作業量をより少なくし、その分、工期をより短縮することが可能となる。
【００４０】
躯体４の構築後には外壁工事が行われる。かかる外壁工事は、パネル本体１０からパネル先端部９を取り外すところから始まる（Ｓ００４）。すなわち、外壁工事の開始に際して、先ず、角筒体１１と垂木先端部６との嵌合状態を解除し、屋根パネル８のうち、パネル先端部９を取り外す。かかる工程Ｓ００４は、第３工程に相当し、外壁工事の一環として行われる。そして、パネル先端部９が取り外されることで、屋根部２の軒先部分は、図５に示すように垂木５、厳密には垂木先端部６が露出した状態となり、垂木５の上には、パネル先端部９及びパネル本体１０のうち、パネル本体１０のみが載置されるようになる。
【００４１】
パネル本体１０からパネル先端部９を取り外した後には、外壁パネル１３の吊り込み及び据え付けを行う（Ｓ００５）。本工程Ｓ００５は、第４工程に相当し、パネル本体１０からパネル先端部９を取り外すことで垂木５の上にパネル先端部９及びパネル本体１０のうち、パネル本体１０のみが載置されている間に行われる。外壁パネル１３の吊り込みに際して、外壁パネル１３には取り付け治具を介して吊りベルト１６の一端が掛けられるようになる。その後、外壁パネル１３は、吊りベルト１６の他端が掛けられた吊りフック１７によって持ち上げられ、垂木先端部６の下方位置に向かって吊り込まれる。なお、本実施形態では、外壁パネル１３の吊り込みに用いる張架部材として吊りベルト１６を例に挙げたが、これに限定されるものではなく、吊りワイヤを用いることとしてもよい。
【００４２】
また、垂木先端部６の下方位置に向かって外壁パネル１３を吊り込む際には、図５に示すように、本来パネル先端部９が位置するスペース内に吊りベルト１６を入り込ませて外壁パネル１３を垂木先端部６の下方位置に向かって吊り込む。ここで、本来パネル先端部９が位置するスペースとは、屋根部２を躯体４中に組み込む工程（Ｓ００２）が完了した時点でパネル先端部９が位置しているスペースのことであり、具体的には垂木先端部６間に位置するスペースである。また、本来パネル先端部９が位置するスペース内に吊りベルト１６が入り込むとは、図５に示すように、互いに隣り合う垂木先端部６同士の間に位置するスペース内を吊りベルト１６が通過することである。
【００４３】
最終的に外壁パネル１３が垂木先端部６の下方位置に至り、垂木先端部６よりも若干奥側に位置すると、当該位置に外壁パネル１３を据え付ける。外壁パネル１３の据え付け方法については、公知の据え付け方法を適用することが可能である。そして、すべての外壁パネル１３の設置が完了した時点で外壁工事が終了する。
【００４４】
外壁工事の終了後には屋根工事が再開されることとなり、具体的には、パネル本体１０から取り外されていたパネル先端部９をパネル本体１０に再び組み付ける工程が行われる（Ｓ００６）。かかる工程Ｓ００６は、第２工程に相当し、屋根工事の一環として行われる。なお、取り外されていたパネル先端部９をパネル本体１０に再び組み付けるにあたり、角筒体１１を垂木先端部６に嵌合し、パネル先端部９をパネル本体１０と接合させる。パネル先端部９がパネル本体１０と接合した状態では、パネル先端部９の上側表面とパネル本体１０の上側表面とが連続平面を形成するようになる。
【００４５】
以上のように外壁工事の開始に際してパネル本体１０から取り外しておいたパネル先端部９を、外壁工事の終了後に再びパネル本体１０に組み付けることとする。つまり、本実施形態では、外壁工事の進捗に応じて、パネル本体１０に対するパネル先端部９の着脱状態を適切に切り替えることが可能である。この結果、外壁工事の終了後には屋根パネル８が本来の姿に復元され、住宅１の屋根部２も軒先部分を備えるようになるので、以降、屋根パネル８は、一般的な屋根部と同様の機能を発揮するようになる。
【００４６】
なお、本実施形態では、外壁工事の開始に際してパネル本体１０からパネル先端部９を取り外すこととしたが、少なくとも外壁パネル１３の吊り込み時にパネル先端部９がパネル本体１０から取り外されていればよい。例えば、屋根部２を内作する時点で既にパネル先端部９がパネル本体１０から取り外されており、パネル先端部９がパネル本体１０から取り外された状態のままで屋根部２を搬送し、当該屋根部２を躯体４中に組み込むこととしてもよい。
【００４７】
パネル先端部９をパネル本体１０に対して再び組み付けた後には、パネル先端部９がパネル本体１０に対して位置ずれしないように、図６及び７に示すように所定の締結具を用いて両パネル片の連結状態を保持することとしている。具体的に説明すると、パネル先端部９をパネル本体１０に対して組み付けた後、パネル先端部９に取り付けられた締結具としての締結金具１４の自由端部１４ａをパネル本体１０に留めてパネル先端部９とパネル本体１０とを締結する（Ｓ００７）。ここで、締結金具１４については、２つのパネル片を締結するものであれば特に制限なく利用可能である。ちなみに、図６に図示の締結金具１４は、金属プレートからなり、その両端のうち、一端がパネル先端部９にビス止めされている。また、同図に示すように、締結金具１４の他端部、すなわち自由端部１４ａは、Ｌ字状に屈曲している。パネル先端部９とパネル本体１０とを締結する際には、このＬ字状に屈曲した自由端部１４ａをパネル本体１０に叩き込んで食い込ませる。
【００４８】
また、パネル先端部９とパネル本体１０とを締結するにあたっては、上記の締結金具１４を用いるとともに、図７に示すように、角筒体１１に取り付けられた他の締結具としての他の締結金具１５の自由端部１５ａを垂木先端部６に留めることとしている。すなわち、本実施形態では、パネル先端部９とパネル本体１０とを締結する際に、併せて角筒体１１と垂木先端部６とを締結することとしている。これにより、パネル先端部９とパネル本体１０とをより強固に締結することが可能となる。
【００４９】
なお、他の締結金具１５については、角筒体１１と垂木先端部６とを締結するものであれば特に制限なく利用可能である。ちなみに、図７に図示の他の締結金具１５は、爪状の金属片からなり、その両端のうち、一端が角筒体１１に溶接等にて固定されている。また、同図に示すように、他の締結金具１５の他端部、すなわち自由端部１５ａは、Ｌ字状に屈曲している。角筒体１１と垂木先端部６とを締結する際には、このＬ字状に屈曲した自由端部１５ａを垂木先端部６に叩き込んで食い込ませる。なお、付言しておくと、角筒体１１と他の締結金具１５については、別々に成形されたものを溶接等にて接合することとしてもよく、あるいは、一体成形されたものであってもよい。
【００５０】
以上までに、本発明の屋根パネル及び建物の建築方法について、その具体的な実施形態の一つを例に挙げて説明した。ただし、上記の実施形態は、本発明の理解を容易にするためのものであり、本発明を限定するものではない。本発明は、その趣旨を逸脱することなく、変更、改良され得ると共に、本発明にはその等価物が含まれることは勿論である。
【符号の説明】
【００５１】
１  住宅
２  屋根部
３  外壁部
４  躯体
５  垂木
６  垂木先端部
７Ａ  棟木
７Ｂ  軒桁
８  屋根パネル
９  パネル先端部
１０  パネル本体
１１  角筒体
１２  貫通穴
１３  外壁パネル
１４  締結金具
１４ａ  自由端部
１５  他の締結金具
１５ａ  自由端部
１６  吊りベルト
１７  吊りフック
【図１】
2015168999.tif 000003
【図２】
2015168999.tif 000004
【図３】
2015168999.tif 000005
【図４】
2015168999.tif 000006
【図５】
2015168999.tif 000007
【図６】
2015168999.tif 000008
【図７】
2015168999.tif 000009